(57)【要約】【課題】本発明は、フォ−クグラップル等の掴み機に掴持せしめ、また、掴持を解くという極めて簡単な操作でもってバケットを着脱せしめることができるものであって、バケットの交換作業を非常に容易に、しかも能率よく行なうことができるのみならず、不使用時においてもバケットを取外し、掴み機を他の作業に振り向けることができ、効率的な使用を担保することができる、バケットを提供するものである。【解決手段】所要の幅と長さを備えた底板１２の背面部に背板１３が立設されると共に、同底板１２の両側部に左右一対の側板１４が各々立設された略角形状バケット１１・２１であって、該バケット１１・２１の背板１３にはフォ−クグラップル等の掴み機１７により掴持せしめるべく上下二段の掴持孔１５・１６・２６が形成されている。【選択図】図２
2017031630.tif 000002
【特許請求の範囲】
【請求項１】
所要の幅と長さを備えた底板の背面部に背板が立設されると共に、同底板の両側部に左
右一対の側板が各々立設された略角形状バケットであって、該バケットの背板にはフォ−
クグラップル等の掴み機により掴持せしめるべく掴持孔が形成されてなることを特徴とす
る、バケット。  
【請求項２】
上記掴持孔はバケット背板に上下二段に形成され、該上部掴持孔は掴み機を構成する掴
みフォ−クの先部を遊挿せしめて上下に揺動自在に掴持せしめるべく大径状に形成される
と共に、同下部掴持孔は掴みフォ−クの先部を若干挿通せしめつつ略固定状に掴持せしめ
るべく小径状に形成されてなることを特徴とする、請求項１記載のバケット。
【請求項３】
上記バケットは、解体ガラなどを収容して運搬処理せしめるべく略ショベルバケット状
に形成されてなることを特徴とする、請求項１または２記載のバケット。 
【請求項４】
上記バケットは、解体ガラなどを収容して篩い分け処理せしめるべく少なくとも底板に
篩い孔を稠密に備えた略スケルトンバケット状に形成されてなることを特徴とする、請求
項１または２記載のバケット。 
【請求項５】
上記バケットは、薄板鋼板材により比較的軽量に形成されてなることを特徴とする、請
求項１〜４のいづれか１項に記載のバケット。      
【発明の詳細な説明】
【技術分野】
【０００１】
本発明は、フォ−クグラップルやフォ−クグラブなどの掴み機に掴持せしめつつ、建造
物や車両等の解体時に発生する解体ガラなどを処理するさいに使用する、バケットに関す
る。
【背景技術】
【０００２】
従来より、例えば建造物や車両などの解体時に発生する解体ガラを運搬処理せしめるバ
ケットの一例として、特開平１０−３７２２８号公報や特開２００３−２１３７１９号公
報には、所要の幅と長さを備えた底板の背面部に取付けブラケット付き背板が立設される
と共に、同底板の両側部に各々左右一対の側板が立設された基本構成を有するショベルバ
ケット状のものが記載されている。
【０００３】
そして、上述の如く構成されたバケットは、パワ−ショベルなどのア−ム先端に取付け
ブラケットを介して枢着ピンにより枢着せしめ、ア−ム上に付設されたバケット用操作シ
リンダでもって上下方向に回動せしめつつバケットに解体ガラを収容せしめて所要の個所
に運搬処理せしめるものである。   
【０００４】
また、特開２００５−２００９１１号公報や特開２００９−２１５７３５号公報には、
所要の幅と長さを備えた底板の背面部に取付けブラケット付き湾曲状の背板が立設される
と共に、同底板の両側部に左右一対の側板が立設され、かつ、底板には篩い孔などの篩い
部が形成された基本構成を有するスケルトンバケット状のものが記載されている。
【０００５】
そして、上述の如く構成されたバケットは、パワ−ショベルなどのア−ム先端に取付け
ブラケットを介して枢着ピンにより枢着せしめ、ア−ム上に付設されたバケット用操作シ
リンダにより前後方向に首振り作動せしめる。これにより、種々の解体ガラをバケット内
に掬いながら、バケットの首振り作動やア−ムの屈曲作動などを利用しつつ解体ガラを篩
い分けて選別処理せしめるものである。
【先行技術文献】
【特許文献】
【０００６】
【特許文献１】特開平１０−３７２２８号公報
【特許文献２】特開２００３−２１３７１９号公報
【特許文献３】特開２００５−２００９１１号公報
【特許文献４】特開２００９−２１５７３５号公報
【発明の概要】
【発明が解決しようとする課題】
【０００７】
ところで、上記特許文献１・２記載のバケットは、所要の解体ガラを収容して所定の場
所に確実に運搬処理せしめることができ、また、特許文献３・４記載のバケットは解体ガ
ラを収容せしめつつ篩い分けて確実に選別処理せしめることができるものである。
【０００８】
しかしながら、特許文献１〜４記載のバケットは、解体ガラの種類や大きさ等に応じて
適正な他のバケットに交換せしめる必要がある場合には、一々枢着ピンを外して他のバケ
ットに交換しなければならず、バケット自体の重量が大であることとも相まって交換作業
が非常に面倒で手間がかかり、極めて作業能率の悪いものとなっていた。  
また、バケットは、パワ−ショベルなどのア−ムに対する取付けや取外し作業が面倒で
あるから、不使用時においても一々バケットを取外すことなく取付けた状態に保持せしめ
るものとなりやすく、ひいては、パワ−ショベル自体を他の作業に転用しずらいものとな
り、効率的な使用ができないものである。
【０００９】
本発明は、従来の課題を解決し、フォ−クグラップル等の掴み機に掴持せしめ、また、
掴持を解くという極めて簡単な操作でもってバケットを着脱せしめることができるもので
あって、バケットの交換作業を非常に容易に、しかも能率よく行なうことができるのみな
らず、不使用時においてもバケットを取外し、掴み機を他の作業に振り向けることができ
、効率的な使用を担保することができる、バケットを提供しようとするものである。
【課題を解決するための手段】
【００１０】
上記の目的を達成するため、本発明の請求項１記載の発明は、所要の幅と長さを備えた
底板の背面部に背板が立設されると共に、同底板の両側部に左右一対の側板が各々立設さ
れた略角形状バケットであって、該バケットの背板にはフォ−クグラップル等の掴み機に
より掴持せしめるべく掴持孔が形成されてなることを特徴とする、バケットを要旨とする
ものである。
【００１１】
上記の目的を達成するため、本発明の請求項２記載の発明は、上記掴持孔はバケット背
板に上下二段に形成され、該上部掴持孔は掴み機を構成する掴みフォ−クの先部を遊挿せ
しめて上下に揺動自在に掴持せしめるべく大径状に形成されると共に、同下部掴持孔は掴
みフォ−クの先部を若干挿通せしめつつ略固定状に掴持せしめるべく小径状に形成されて
なることを特徴とする、請求項１記載のバケットを要旨とするものである。
【００１２】
上記の目的を達成するため、本発明の請求項３記載の発明は、上記バケットは解体ガラ
などを収容して運搬処理せしめるべく略ショベルバケット状に形成されてなることを特徴
とする、請求項１または２記載のバケットを要旨とするものである。
【００１３】
上記の目的を達成するため、本発明の請求項４記載の発明は、上記バケットは解体ガラ
などを収容して篩い分け処理せしめるべく少なくとも底板に篩い孔を稠密に備えた略スケ
ルトンバケット状に形成されてなることを特徴とする、請求項１または２記載のバケット
を要旨とするものである。
【００１４】
上記の目的を達成するため、本発明の請求項５記載の発明は、上記バケットは薄板鋼板
材により比較的軽量に形成されてなることを特徴とする、請求項１〜４のいづれか１項に
記載のバケットを要旨とするものである。
【発明の効果】
【００１５】
本発明の請求項１記載の発明は、上述のように構成されているから、バケットは掴持孔
を介してフォ−クグラップル等の掴み機に掴持せしめ、また、掴持を解くという簡単な操
作でもって自由に着脱せしめることができるものであって、バケットの交換時における作
業を極めて容易に、しかも能率よく行なうことができる。また、不使用時においても、バ
ケットを取外し、掴み機自体を他の作業に振り向けることができるものであって、掴み機
自体の効率的な使用を担保することができるものである。
【００１６】
本発明の請求項２記載の発明は、上述のように構成されているから、解体ガラを収容せ
しめて所要の作業を行うさいには、バケット背板の小径状下部掴持孔に掴み機を構成する
掴みフォ−クの先部を若干挿通せしめつつ略固定状に掴持せしめることができるものであ
って、所要の作業を確実に行なうことができる。   
また、収容する解体ガラを外方に排出せしめるさいには、掴みフォ−クを大径状の上部
掴持孔に遊挿せしめつつバケットを揺動自在に掴持せしめ、適宜バケットを上下に揺動せ
しめながら外方に排出処理せしめることができる。
【００１７】
本発明の請求項３記載の発明は、上述のように構成されているから、バケット背部の小
径状とされた下部掴持孔に掴みフォ−クの先部を若干挿入して略固定状に掴持せしめ、解
体ガラを掬って収容せしめつつ所要の場所に運搬せしめたのち、大径状とされた上部掴持
孔に掴みフォ−クを遊挿して揺動自在に掴持せしめつつ、適宜バケットを上下に揺動せし
めながら外方に排出せしめることができるものであって、常に解体ガラを確実に運搬排出
処理することができる。
【００１８】
本発明の請求項４記載の発明は、上述のように構成されているから、バケット背部の小
径状とされた下部掴持孔に掴みフォ−クの先部を若干挿入して略固定状に掴持せしめ、解
体ガラを掬って収容せしめながら、掴み機を利用して前後方向に首振り作動せしめつつ、
篩い孔を通して解体ガラを篩い分けて確実に選別処理せしめることができる。そして、篩
い分け処理が完了すると、大径状とされた上部掴持孔に掴みフォ−クを遊挿して揺動自在
に掴持せしめつつ、掴み機を利用して上下に揺動せしめて外方に排出せしめることができ
る。
【００１９】
本発明の請求項５記載の発明は、上述のように構成されているから、バケットの取扱い
に至便であり、掴み機に対する着脱作業を極めて容易に、しかも、作業効率よく行うこと
ができるものである。
【図面の簡単な説明】
【００２０】
【図１】本発明のバケット１１の一実施例を示す斜視図である。
【図２】実施例のバケット１１をフォ−クグラップル１７の掴みフォ−ク１８に固定状に掴持せしめた使用状態を示す斜視図である。
【図３】実施例のバケット１１をフォ−クグラップル１７の掴みフォ−ク１８に揺動自在に掴持せしめた使用状態を示す斜視図である。
【図４】本発明のバケット２１の実施例を示す斜視図である。
【図５】実施例のバケット２１をフォ−クグラップル１７の掴みフォ−ク１８に固定状に掴持せしめた使用状態を示す斜視図である。
【図６】実施例のバケット２１をフォ−クグラップル１７の掴みフォ−ク１８に揺動自在に掴持せしめた使用状態を示す斜視図である。
【発明を実施するための形態】
【００２１】
以下に、本発明を実施するための形態を図面に示す一実施例に基づいて詳細に説明する
。
【００２２】
図１〜図３は本発明の一実施例を示すもので、同図中、１１は薄板鋼板材により比較的
軽量に形成された略角形ショベル状のバケット、１２は該バケット１１を構成する所要の
幅と長さを備えた方形状の底板、１３は該底板１２の背面部に立設された所要高の背板、
１４は同底板１２の両側に沿って各々立設された所要の高さを有する両側一対の側板であ
る。１５・１６は上記背板１３に形成された上下二段の掴持孔で、該上部掴持孔１５は後
記するフォ−クグラップル１７の掴みフォ−ク１８先部を遊挿して揺動自在に掴持せしめ
るべく細長な大径状に形成され、また、下部掴持孔１６は同掴みフォ−ク１８先部を若干
挿通せしめつつ略固定状に掴持せしめるべく細長な小径状に形成されている（図１参照）
。
その他、１７は上記バケット１１を掴持せしめるフォ−クグラップルで、該フォ−クグ
ラップル１７はパワ−ショベル（図示略）などのア−ム（図示略）先端に掴みフォ−ク１
８が装着され、ア−ム上に付設された操作用シリンダ（図示略）により作動自在とされた
基本構成を有するものである（特開平１１−３３６１１４号公報、特開２００９−２４９
８２２号公報参照）。
【００２３】
次に、上述の如く構成された実施例の作動について説明する。
まず第１に、バケット１１の背板１３を跨ぐようにフォ−クグラップル１７の掴みフォ
−ク１８をアプロ−チせしめ、掴みフォ−ク１８の先部を背板１３の下部掴持孔１６に軽
く挿入せしめたのち、操作シリンダ（図示略）を介して掴みフォ−ク１８を作動せしめ、
固定状に掴持せしめる（図２参照）。しかるのち、操作シリンダを介して掴持するバケッ
ト１１を作動せしめつつ解体ガラを掬い上げ、所要の個所に運搬せしめる。次いで、掴み
フォ−ク１８を下部掴持孔１６より抜出せしめると共に、新たに上部掴持孔１５に遊挿し
て揺動自在に掴持せしめつつ、操作シリンダを介して掴みフォ−ク１８と共にバケット１
１を上下に揺動せしめながら収容する解体ガラを外方に排出せしめる（図３参照）。
【００２４】
なお、バケット１１は上述の如く背板１３の上下部掴持孔１５・１６に適宜フォ−クグ
ラップル１７の掴みフォ−ク１８を挿入せしめて掴持せしめるという非常に簡単な操作で
もって取付ることができるのみならず、掴みフォ−ク１８の掴持を解くことにより簡単に
取外すことができるものであって、常にバケット１１の取付・取外しを簡単、かつ確実に
作業能率よく行うことができ、しかも、解体ガラの運搬排出を確実に行うことができるも
のである。                              
さらに、バケット１１はフォ−クグラップル１７への取付・取外しを簡単に行うことが
できるものであるから、不使用時にはバケット１１を取外し、フォ−クグラップル１８自
体を他の作業に振り向けて効率よく使用に供することができるものである。
【００２５】
図４〜６は本発明の他の実施例を示すもので、バケット２１を構成する背板１３に小径
な小口状の下部掴持孔２６が並設されている点、及び同底板１２と側板１４に篩い孔２９
を稠密に備えた略スケルトン状に形成されている点が上記実施例と相違し、他の部分は同
一であり、同一符号は同一部分を示す（図４参照）。  
【００２６】
そして、上述の如く構成されたバケット２１は、上記実施例と同様に、バケット２１の
背板１３を跨ぐように掴みフォ−ク１８をアプロ−チせしめつつその先部を下部掴持孔２
６に軽く挿入せしめたのち、操作シリンダを介して固定状に掴持せしめる（図５参照）。
しかるのち、掴持するバケット２１を作動せしめつつ解体ガラを掬い上げると共に、操作
シリンダを介して前後方向に首振り作動せしめつつ篩い孔２９を通して解体ガラを篩い分
け、選別処理せしめる。
そして、選別処理が完了すると操作シリンダを作動せしめ、掴みフォ−ク１８を上部掴
持孔１５に遊挿して揺動自在に掴持せしめつつバケット２１と共に上下に揺動せしめ、選
別処理した解体ガラを外方に排出せしめる（図６参照）。    
【００２７】
なお、バケット２１は上記実施例と同様に、上下部掴持孔１５・２６に適宜掴みフォ−
ク１８を挿入せしめつつ掴持せしめ、また、掴持を解くという簡単な操作でもってその取
付・取外しを簡単かつ確実に行うことができるのみならず、解体ガラを篩い分けて選別作
業を確実に行うことができるものであり、また、不使用時にはバケット２１を取外し、フ
ォ−クグラップル１７自体を掴み機として他の作業に振り向けて効率よく使用することが
できるものである。
【００２８】
なお、上記実施例において、バケット１１・２１の背板１３に形成された下部掴持孔１
６・２６は各々細長な小径孔に、また、小径な小口状に形成されているが、これに限定さ
れるものではなく、適宜所要の形状に形成せしめてもよいものである。また、掴み機とし
てフォ−クグラップル１７が示されているが、これに限定されるものではなく、フォ−ク
グラブなど公知の掴み機を利用することができるものである。
【符号の説明】
【００２９】
１１  バケット
１２  底板
１３  背板
１４  側板
１５  上部掴持孔
１６  下部掴持孔
１７  フォ−クグラップル
１８  掴みフォ−ク
２１  バケット
２６  下部掴持孔
２９  篩い孔
【図１】
2017031630.tif 000003
【図２】
2017031630.tif 000004
【図３】
2017031630.tif 000005
【図４】
2017031630.tif 000006
【図５】
2017031630.tif 000007
【図６】
2017031630.tif 000008